(57)【要約】【課題】耐久性の低い軟質蛇腹筒が用いられることなく軒樋と呼び樋とのなす角度が調節可能な集水器を提供する。【解決手段】樋部１０に設けられる排水筒２と、呼び樋が接続されエルボ部材３と、を備えた集水器１である。樋部１０の底部１１に排水用の開口１２が形成され、その周端縁から下方へ向けて、下方へ行く程径が小さい排水筒２が突出される。排水筒２には、外面の周方向の一部に亘って調節用凸条２１が、排水筒２の中心軸方向に複数条設けられる。排水筒２には、最も基端側の調節用凸条２１と同じ中心軸方向位置で、外面の周方向の調節用凸条２１と対角の位置に、エルボ部材３の流入口３１の端縁部分を挟持する固定用凸条２２が設けられ、固定用凸条２２との間に所定の周方向長さを有する間隙２３が形成される。エルボ部材３には、間隙２３に対応する位置に、周方向の長さが間隙２３の周方向の長さと同じかそれよりも短い凸部３６が設けられる。【選択図】図１
2014031671.tif 000002
【特許請求の範囲】
【請求項１】
軒樋の一部として機能する樋部と、前記樋部の底部に設けられる排水筒と、下流端に呼び樋の上流端が接続され、上壁に形成される上流端となる流入口に前記排水筒が挿入されるエルボ部材と、を備えた集水器であって、
前記樋部は前記底部に排水用の開口が形成され、前記開口の周端縁から下方へ向けて、下方へ行く程径が小さくなる円錐状のテーパを有する前記排水筒が突出され、
前記排水筒には、その外面の周方向の一部に亘って突設される調節用凸条が、前記排水筒の中心軸方向に複数条設けられ、
前記排水筒には、最も基端側の前記調節用凸条と同じ前記中心軸方向位置に、外面の周方向の前記調節用凸条と対角の位置に周方向の一部に亘って、前記エルボ部材の前記上壁の前記流入口の端縁部分を挟持する固定用凸条が設けられ、最も基端側の前記調節用凸条と前記固定用凸条との間に周方向に所定の長さを有する間隙が形成され、
前記エルボ部材には、前記上壁の前記流入口の端縁の周方向の前記間隙に対応する位置に、前記流入口の内方に突出し、周方向の長さが前記間隙の周方向の長さと同じかそれよりも短い凸部が設けられることを特徴とする集水器。
【発明の詳細な説明】
【技術分野】
【０００１】
本発明は、呼び樋が接続される集水器に関するものである。
【背景技術】
【０００２】
従来、建物の軒先においては、図５（ａ）に示すように、鼻板４に軒樋吊り具（不図示）が取り付けられ、軒樋吊り具に軒樋５が取り付けられて、屋根の軒側端部に沿って軒樋５が配置される。軒樋５には集水器１が設けられ、集水器１はエルボ６を介して呼び樋７の一端が接続され、呼び樋７の他端は別のエルボ８を介して竪樋９に接続される（例えば特許文献１参照）。
【０００３】
ところで、軒樋吊り具が取り付けられる鼻板４は通常は垂直（鉛直）に取り付けられる。しかしながら、図５（ｂ）に示すように、建物によっては鼻板４の垂直（図中の符号４０参照）が出ていない場合があり、この場合には、呼び樋７の勾配が逆勾配となってしまう惧れがあった。そこで、集水器１と呼び樋７との接続角度が調節可能なエルボが発明された（例えば特許文献２参照）。
【先行技術文献】
【特許文献】
【０００４】
【特許文献１】特開昭５９−１８１１４６号公報
【特許文献２】特開昭５５−７２５５９号公報
【発明の概要】
【発明が解決しようとする課題】
【０００５】
特許文献２記載の発明にあっては、集水器１と呼び樋７との間に設けられるエルボ７が軟質蛇腹筒により構成されることで、集水器１（軒樋５）と呼び樋７とのなす角度が調節されている。しかしながら、このような軟質蛇腹筒は耐久性が低いものであった。
【０００６】
本発明は上記従来の問題点に鑑みて発明したものであって、その目的とするところは、耐久性の低い軟質蛇腹筒が用いられることなく軒樋と呼び樋とのなす角度が調節可能な集水器を提供することを課題とするものである。
【課題を解決するための手段】
【０００７】
上記課題を解決するために、本発明は、以下のような構成とする。
【０００８】
軒樋の一部として機能する樋部と、前記樋部の底部に設けられる排水筒と、下流端に呼び樋の上流端が接続され、上壁に形成される上流端となる流入口に前記排水筒が挿入されるエルボ部材と、を備えた集水器であって、前記樋部は前記底部に排水用の開口が形成され、前記開口の周端縁から下方へ向けて、下方へ行く程径が小さくなる円錐状のテーパを有する前記排水筒が突出され、前記排水筒には、その外面の周方向の一部に亘って突設される調節用凸条が、前記排水筒の中心軸方向に複数条設けられ、前記排水筒には、最も基端側の前記調節用凸条と同じ前記中心軸方向位置に、外面の周方向の前記調節用凸条と対角の位置に周方向の一部に亘って、前記エルボ部材の前記上壁の前記流入口の端縁部分を挟持する固定用凸条が設けられ、最も基端側の前記調節用凸条と前記固定用凸条との間に周方向に所定の長さを有する間隙が形成され、前記エルボ部材には、前記上壁の前記流入口の端縁の周方向の前記間隙に対応する位置に、前記流入口の内方に突出し、周方向の長さが前記間隙の周方向の長さと同じかそれよりも短い凸部が設けられることを特徴とする。
【発明の効果】
【０００９】
本発明の集水器にあっては、耐久性の低い軟質蛇腹筒が用いられることなく軒樋と呼び樋とのなす角度が調節可能となる。
【図面の簡単な説明】
【００１０】
【図１】本発明の一実施形態の一部破断した斜視図である。
【図２】同上における排水筒を備えた樋部の斜視図である。
【図３】同上におけるエルボ部材の斜視図である。
【図４】同上の一実施形態の要部の分離した拡大斜視図である。
【図５】（ａ）（ｂ）は従来例を説明する建物の断面図である。
【発明を実施するための形態】
【００１１】
以下、本発明を添付図面に示す実施形態に基いて説明する。
【００１２】
建物の軒先において、鼻板に軒樋吊り具が取り付けられ、軒樋吊り具に軒樋が取り付けられて、屋根の軒側端部に沿って軒樋が配置されている（図５参照）。
【００１３】
軒樋には、雨水が流れる底部に形成された開口から下方に伸びる排水筒２を有する集水器１が設けられる。集水器１は、図１乃至図４に示すように、樋部１０と、上記排水筒２と、エルボ部材３とを備えたものである。
【００１４】
樋部１０は、軒樋の断面形状と同様の断面形状をしたものである。樋部１０の底部１１に排水用の開口１２が形成されており、開口１２の周端縁から下方へ向けて、下方へ行く程径が小さくなる円錐状のテーパを有する排水筒２が突出されている。本実施形態では、図１、２に示すように、集水器１は隣接する軒樋を接続する継手となり、且つ、軒樋の一部として機能するものであるが、集水器１が継手としての機能を有さず、軒樋と一体に形成されるものでもよい。
【００１５】
エルボ部材３は、図１、３に示すように、排水筒２内を流下してきた雨水を側方へと流すもので、上流端となる流入口３１に排水筒２が配置され、下流端となる流出口３２に呼び樋の上流端が接続される。呼び樋の下流端にはエルボの上流端が接続され、エルボの下流端には竪樋が接続される（図５参照）。竪樋は、建物の外壁に取り付けられる控え具により支持される。本実施形態のエルボ部材３は、図３に示すように、断面略矩形状をした横方向を長手方向とする筒部３３と、筒部３３の上流側の端部を閉塞する閉塞部３５とを備えている。そして、筒部３３の上流側の上壁３４に略円形状をした流入口３１が形成されており、筒部３３の下流側の端部は閉塞されておらず流出口３２となっている。流入口３１は、排水筒２の基端（底部１１側の端部）の最も径の大きい部分よりも大きいとともに、最も基端側に設けられている後述する調節用凸条２１および固定用凸条２２の径よりも若干大きく形成されている。
【００１６】
排水筒２には、外面の周方向の一部に亘って突設される調節用凸条２１が、排水筒２の中心軸（図２中の符号２０参照）方向に複数条設けられている。本実施形態では、図１、２、４に示すように、排水筒２の周方向の略半分に亘る４条の調節用凸条２１が、中心軸方向に所定の間隔をあけて、中心軸方向に見て同じ周方向位置に設けられている。なお、調節用凸条２１の周方向の角度、条数、中心軸方向にあける所定の間隔、周方向位置等は特に限定されない。
【００１７】
また、排水筒２には、外面の周方向の調節用凸条２１と対角の位置に周方向の一部に亘って、エルボ部材３の上壁３４の流入口３１の端縁部分を挟持する固定用凸条２２が設けられる。本実施形態では、図４に示すように、排水筒２の最も基端側の調節用凸条２１と同じ中心軸方向位置に、排水筒２の周方向の略半分に亘る１条の固定用凸条２２が、調節用凸条２１との間に間隙２３を介して突設されている。間隙２３は、周方向に所定の長さを有している。固定用凸条２２および調節用凸条２１は、排水筒２の外面において、底部１１から、エルボ部材３の上壁３４の厚み分と同じかそれより若干長い距離を隔てた位置に設けられている。
【００１８】
更に、エルボ部材３には、上壁３４の流入口３１の端縁の周方向の一部に、流入口３１の内方に突出する凸部３６が設けられている。凸部３６は、周方向の長さが間隙２３の周方向の長さと同じかそれよりも若干短く形成される。この凸部３６は、周方向における二箇所の間隙２３の位置関係と同様の位置関係で、二つの凸部３６が設けられている。
【００１９】
排水筒２のエルボ部材３への装着について説明する。間隙２３と凸部３６の周方向の位置が合わせられた状態で、排水筒２の先端がエルボ部材３の流入口３１に挿入され、間隙２３に凸部３６が挿通される。次に、排水筒２とエルボ部材３とが相対的に周方向に回転されることで、一方の凸部３６が固定用凸条２２と底部１１との間に挿入され、他方の凸部３６が調節用凸条２１と底部１１との間に挿入される。これにより、排水筒２が流入口３１から抜けなくなり、且つ、排水筒２のエルボ部材３に対する角度（底部１１と上壁３４とがなす角度であり、この場合には略平行）が固定される。
【００２０】
次に、排水筒２のエルボ部材３に対する角度が変更される場合について説明する。排水筒２とエルボ部材３とが相対的に周方向に回転され、間隙２３と凸部３６の周方向の位置が合わせられる。そして、間隙２３に一方の凸部３６のみが挿通され、他方の凸部３６は間隙２３に挿通されず、位置が保持される。そして、一方の凸部３６は、複数の調節用凸条２１のうちのいずれか二つの調節用凸条２１の間に位置され、排水筒２とエルボ部材３とが相対的に周方向に回転されることで、この二つの調節用凸条２１の間に一方の凸部３６が挿入される（例えば図１参照）。これにより、排水筒２が流入口３１から抜けなくなり、且つ、排水筒２のエルボ部材３に対する角度が固定される。
【００２１】
底部１１と上壁３４とがなす角度は、凸部３６が挿入される二つの調節用凸条２１が排水筒２の先端側へ行く程、大きくなる。
【００２２】
以上のような構成により、集水器１の排水筒２（樋部１０）が接続される軒樋と、集水器１のエルボ部材３に接続される呼び樋との接続角度が調節可能となる。このため、鼻板の角度が垂直となっていなくても、接続角度が適宜調節されることで対処可能となるものである。また、これにあたり、従来のエルボのような軟質蛇腹筒が用いられることがない。このため、軟質蛇腹筒が用いられることによる耐久性の低下が抑えられる。
【符号の説明】
【００２３】
１    集水器
１０  樋部
１１  底部
１２  開口
２    排水筒
２０  中心軸
２１  調節用凸条
２２  固定用凸条
２３  間隙
３    エルボ部材
３１  流入口
３２  流出口
３３  筒部
３４  上壁
３５  閉塞部
３６  凸部
４    鼻板
５    軒樋
６    エルボ
７    呼び樋
８    エルボ
９    竪樋
【図１】
2014031671.tif 000003
【図２】
2014031671.tif 000004
【図３】
2014031671.tif 000005
【図４】
2014031671.tif 000006
【図５】
2014031671.tif 000007